(57)【要約】【課題】本発明は、遠赤外線を放出する岩盤浴ベッドと低温ミストを発生する超音波ミスト発生器を備えた簡易組立式ユニットタイプのミストサウナ個室を提供することを目的とする。【解決手段】本発明のミストサウナ個室は、天然木材の正面壁１、天井壁２、側面壁３、底面壁４、背面壁５を個室ユニットに組み立てて室内空間を形成する該簡易組立式ユニットの内部に遠赤外線を放出する岩盤浴ベッド６と低温ミストを発生する超音波ミスト発生器７を配備する。前記岩盤浴ベッド６は、前記簡易組立式ユニットの底面壁４との間に温風通路空間Ｗを形成する上に遠赤外線を放出する小塊鉱石１０を所定厚さに敷設すると共に前記温風通路空間Ｗの入口側に温風を送風する岩盤浴用ファンヒーターを設ける。また前記超音波ミスト発生器７の超音波発振子により発生した細かい霧状のミストは、前記簡易組立式ユニットの上部に設けたミスト出口１９から室内に放出される。【選択図】図３
2007185206.tif 000002
【特許請求の範囲】
【請求項１】
秋田杉等の天然木材から矩形の正面壁、天井壁、側面壁、底面壁、背面壁をそれぞれ個別形成し、前記正面壁、天井壁、側面壁、底面壁、背面壁を個室ユニットに組み立てて室内空間を形成する簡易組立式ユニットからなり、該簡易組立式ユニットの内部に遠赤外線を放出する岩盤浴ベッドと低温ミストを発生する超音波ミスト発生器を配備し、前記岩盤浴ベッドは、前記簡易組立式ユニットの底面壁との間に温風通路空間Ｗを形成するようにスノコを設け、該スノコの上に多孔を有するパンチングメタルを載せ、該パンチングメタル上に遠赤外線を放出する小塊鉱石を所定厚さに敷設すると共に前記温風通路空間Ｗの入口側に温風を送風する岩盤浴用ファンヒーターを設けており、また前記超音波ミスト発生器は、ミスト発生槽と貯水タンクとを有する仕切容器からなり、前記ミスト発生槽には超音波発振子が設けられ、該超音波発振子により発生した細かい霧状のミストは、前記ミスト発生槽の上部を覆うミスト槽カバーからミストダクトを介して前記簡易組立式ユニットの上部に設けたミスト出口から室内に放出させることを特徴とするミストサウナ個室。
【請求項２】
前記ミスト出口の上部には、温風を吹出す室内温風用ファンヒーターを設け、前記細かい霧状のミストの吹出し方向である室内中央に向って温風を吹出すようにすることを特徴とする請求項１記載のミストサウナ個室。
【請求項３】
前記岩盤浴ベッドには、遠赤外線を放出する粉粒状鉱石を混入して成型した正方形の岩盤プレートを表面が露出するように前記小塊鉱石に埋設して長手方向に等間隔に並べ、前記岩盤プレートの底面にＰＴＣヒーターを接合して所定温度で前記岩盤プレートを加熱できるようにすることを特徴とする請求項１記載のミストサウナ個室。
【発明の詳細な説明】
【技術分野】
【０００１】
本発明は、遠赤外線を放出する岩盤浴ベッドと低温ミストを発生する超音波ミスト発生器を備えた簡易組立式ユニットタイプのミストサウナ個室に関する。
【背景技術】
【０００２】
従来のミストサウナは、水を加熱蒸発させて水蒸気を室内に噴霧したり、床暖房には温水パイプに温水を通して行っていた。
このような方式は、水を加熱蒸発させるため熱効率が悪く経済性に欠けると共に設置費用が多く掛かるものであった。
また、人間本来の治癒力をより高める遠赤外線、マイナスイオン等を発する黒鉛珪石や微量放射線等を発する種々の天然鉱石からなる、より効果的な洞窟式低温サウナ室、浴室が開発されている（特許文献１を参照）。
この公知技術は、室内の内面全体を、健康によい効果をもたらす遠赤外線、マイナスイオン等を発する黒鉛珪石や遠赤外線、マイナスイオン、微量放射線等を発する種々の天然石、或いはこれら天然鉱石の微粉粒体やセラミック粉体含有モルタルで覆い、床暖房等の加熱装置と加湿装置、或いはミスト発生装置を併用することにより、室内全面から効果的に遠赤外線、マイナスイオン等が発し、より健康に良い効果がある洞窟式低温サウナ室、浴室である。
この方式も前述と同様に、熱効率が悪く経済性に欠けると共に設置費用が多く掛かるものであった。
【特許文献１】特開２００５−８７７２４
【発明の開示】
【発明が解決しようとする課題】
【０００３】
本発明は、遠赤外線を放出する岩盤浴ベッドと低温ミストを発生する超音波ミスト発生器を備えた簡易組立式ユニットタイプのミストサウナ個室を提供することを目的とする。
【課題を解決するための手段】
【０００４】
本発明のミストサウナ個室は、秋田杉等の天然木材から矩形の正面壁、天井壁、側面壁、底面壁、背面壁をそれぞれ個別形成し、前記正面壁、天井壁、側面壁、底面壁、背面壁を個室ユニットに組み立てて室内空間を形成する簡易組立式ユニットからなり、該簡易組立式ユニットの内部に遠赤外線を放出する岩盤浴ベッドと低温ミストを発生する超音波ミスト発生器を配備し、前記岩盤浴ベッドは、前記簡易組立式ユニットの底面壁との間に温風通路空間Ｗを形成するようにスノコを設け、該スノコの上に多孔を有するパンチングメタルを載せ、該パンチングメタル上に遠赤外線を放出する小塊鉱石を所定厚さに敷設すると共に前記温風通路空間Ｗの入口側に温風を送風する岩盤浴用ファンヒーターを設けており、また前記超音波ミスト発生器は、ミスト発生槽と貯水タンクとを有する仕切容器からなり、前記ミスト発生槽には超音波発振子が設けられ、該超音波発振子により発生した細かい霧状のミストは、前記ミスト発生槽の上部を覆うミスト槽カバーからミストダクトを介して前記簡易組立式ユニットの上部に設けたミスト出口から室内に放出させる。
また、前記ミスト出口の上部には、温風を吹出す室内温風用ファンヒーターを設け、前記細かい霧状のミストの吹出し方向である室内中央に向って温風を吹出すようにする。
さらに、前記岩盤浴ベッドには、遠赤外線を放出する粉粒状鉱石を混入して成型した正方形の岩盤プレートを表面が露出するように前記小塊鉱石に埋設して長手方向に等間隔に並べ、前記岩盤プレートの底面にＰＴＣヒーターを接合して所定温度で前記岩盤プレートを加熱できるようにする。
【発明の効果】
【０００５】
本発明のミストサウナ個室は、秋田杉等の天然木材から矩形の正面壁、天井壁、側面壁、底面壁、背面壁をそれぞれ個別形成し、前記正面壁、天井壁、側面壁、底面壁、背面壁を個室ユニットに組み立てて室内空間を形成する簡易組立式ユニットからなり、各天井壁、側面壁、底面壁の使用個数を変えることにより個室をロング、セミロング、ショートのような３パターンの室内空間に大きさを替えることができるし、天然木材を使用しているので余分な水分を天然木材が吸収して各壁面に水滴が発生しない。
本発明のミストサウナ個室は、岩盤浴ベッドには、遠赤外線を放出する鉱石を混入して成型した正方形の岩盤プレートを表面が露出するように前記鉱石に埋設して長手方向に等間隔に並べ、前記岩盤プレートの底面にＰＴＣヒーターを接合して所定温度で前記岩盤プレートを加熱できるようにするので、岩盤浴ベッドを４０℃前後に温めて遠赤外線を放出させることができる。
本発明のミストサウナ個室は、超音波ミスト発生器により噴霧される粒子の細かいミストなので、皮膚はもちろん、呼吸器官からも隅々まで吸収され、細かい発汗作用により新陳代謝を促し、老廃物を出し、細胞の活性化を助けることができる。
【発明を実施するための最良の形態】
【０００６】
本発明のミストサウナ個室の一実施例を図面に基づいて、以下に説明する。
本発明のミストサウナ個室は、図１に示すように秋田杉等の天然木材から矩形の正面壁１、天井壁２、側面壁３、底面壁（天井壁２と同形状）４、背面壁（正面壁１と同形状）５をそれぞれ個別形成し、図２に示すように前記正面壁１、天井壁２、側面壁３、底面壁（天井壁２と同形状）４、背面壁（正面壁１と同形状）５を個室ユニットに組み立てて室内空間を形成する簡易組立式ユニットからなり、各天井壁、側面壁、底面壁の使用個数を変えることにより個室をロング、セミロング、ショートのような３パターンの室内空間に大きさを替えることができる。
なお、図２に示す簡易組立式ユニットの大きさは、ロングタイプである。
さらに、図３に示すように前記簡易組立式ユニットの内部に遠赤外線を放出する岩盤浴ベッド６と低温ミストを発生する超音波ミスト発生器７を配備したものである。
前記岩盤浴ベッド６は、図４（ａ）の縦断面図、図４（ｂ）の横断面図に示すように前記簡易組立式ユニットの底面壁４との間に温風通路空間Ｗを形成するようにスノコ８を設け、該スノコ８の上に多孔を有するパンチングメタル９を載せ、該パンチングメタル９上に遠赤外線を放出する小塊鉱石１０を所定厚さに敷設すると共に、前記温風通路空間Ｗの入口側に温風を送風する岩盤浴用ファンヒーター１１を設けるものである。
さらに、前記岩盤浴ベッド６には、図５（ａ）の平面図に示すように遠赤外線を放出する粉粒状鉱石を混入して成型した正方形の岩盤プレート１２を、図３に示すよう表面が露出するように前記小塊鉱石１０に埋設して長手方向に等間隔に並べ、図５（ｂ）の断面図に示すように前記岩盤プレート１２の底面にＰＴＣヒーター１３を接合して所定温度で前記岩盤プレート１２を加熱できるようにする。
【０００７】
前記超音波ミスト発生器７は、図６（ａ）の平面図、図６（ｂ）の正面図に示すようにミスト発生槽１４と貯水タンク１５とを有する仕切容器からなり、前記ミスト発生槽１４には超音波発振子１６が設けられ、該超音波発振子１６により発生した細かい霧状のミストは、図４に示すように前記ミスト発生槽１４の上部を覆うミスト槽カバー１７からミストダクト１８を介して前記簡易組立式ユニットの上部に設けたミスト出口１９から室内に放出される。
前記ミスト出口１９の上部には、温風を吹出す室内温風用ファンヒーター２０を設け、前記細かい霧状のミストの吹出し方向である室内中央に向って温風を吹出すようにする。
前記貯水タンク１５には、図６（ｃ）の側面図に示すようにカセット式の給水容器２１が倒立状に配置されるように形成され、前記給水容器２１の定量供給弁により前記ミスト発生槽１４に一定水量の補給を行えるようになっている。
また、図６（ａ）の平面図に示すようにミスト発生槽１４と貯水タンク１５の仕切壁２２を横断する円棒状の温水用ヒーター２３を設け、該温水用ヒーター２３によりミスト発生槽１４と貯水タンク１５の貯留水を所定温度に温めると共に、前記貯水タンク１５の一部に鉱石受け皿２４を設け、該鉱石受け皿２４に微量放射線を放出する鉱石を充填し、前記貯水タンク１５を介して貯留水に微量放射線を含ませることができる。
なお、図３に示す２５は跳ね上げ式の木製ベンチ、２６は照明灯、２７は電気制御盤、２８はドアである。
【０００８】
次に、本発明のミストサウナ個室の使用動作を図面に基づいて、以下に説明する。
本発明のミストサウナ個室は、図２に示すように秋田杉等の天然木材から矩形の正面壁１、天井壁２、側面壁３、底面壁４、背面壁５をそれぞれ個別形成し、前記正面壁１、天井壁２、側面壁３、底面壁４、背面壁５を個室ユニットに組み立てて室内空間を形成する簡易組立式ユニットからなるので、各天井壁２、側面壁３、底面壁４の使用個数を変えることにより、ミストサウナ個室をロング、セミロング、ショートのような室内空間の３パターンの大きさに替えることができる。
したがって、希望するミストサウナ個室の大きさを選択し、遠赤外線を放出する岩盤浴ベッド６と低温ミストを発生する超音波ミスト発生器７をそれぞれ配備する。
ミストサウナ個室の室内暖房は、室内温風用ファンヒーター２０及び岩盤浴用ファンヒーター１１の併用により行い、前記岩盤浴用ファンヒーター１１からの温風は温風通路空間Ｗ、スノコ８、パンチングメタル９、小塊鉱石１０の隙間を通過して小塊鉱石１０を温めて遠赤外線を放出させると共に前記小塊鉱石１０の隙間から４０℃前後の温風を室内に吹出す。
同時に、ＰＴＣヒーター１３により４０℃前後で岩盤プレート１２を加熱し、岩盤プレート１２からも遠赤外線を放出させる。
また、超音波ミスト発生器７を作動させ、温水用ヒーター２３により貯留水を４０℃前後に温めて２個の超音波発振子１６により細かい霧状のミストを発生させる。
発生した細かい霧状のミストは、ミスト槽カバー１７から２個のミストダクト１８を介して前記簡易組立式ユニットの上部に設けた２個のミスト出口１９から室内に放出される。
【０００９】
このようにしてミストサウナ個室の準備が整ったら、浴衣かパジャマを着た状態で、図３に示す車椅子のままでも入ることができる間口の広いドア２８から室内に入り、岩盤浴ベッド６の上、すなわち岩盤プレート１２及び小塊鉱石１０にゴザ又は莚を敷き、２０〜３０分ゴザ又は莚の上に横になって身体を遠赤外線効果で暖める。
また、ミストサウナ個室の上部に設けた２個のミスト出口１９からは細かい霧状のミストが吹出しているので加湿され、室内全体にはミストサウナ効果が生じる。
なお、ミストの量が多い場合には、室内温風用ファンヒーター２０の吹出し温度を上げることにより余分なミストを消滅させることもできる。
また、超音波ミスト発生器７の鉱石受け皿２４に微量放射線を放出する鉱石を充填して置けば、貯留水に微量放射線を含ませることができるので、微量放射線を含むミストを放出させることができる。
【図面の簡単な説明】
【００１０】
【図１】本考案の正面壁、天井壁、側面壁、底面壁、背面壁の説明図である。
【図２】本考案の簡易組立式ユニットの説明図である。
【図３】本考案のミストサウナ個室の説明図である。
【図４】本考案のミストサウナ個室の（ａ）縦断面図、（ｂ）横断面図である。
【図５】本考案の岩盤プレートの（ａ）平面図、（ｂ）断面図である。
【図６】本考案の超音波ミスト発生器の（ａ）平面図、（ｂ）正面、（ｃ）側面図である。
【符号の説明】
【００１１】
１  正面壁
２  天井壁
３  側面壁
４  底面壁
５  背面壁
６  岩盤浴ベッド
７  超音波ミスト発生器
８  スノコ
９  パンチングメタル
１０  小塊鉱石
１１  岩盤浴用ファンヒーター
１２  岩盤プレート
１３  ＰＴＣヒーター
１４  ミスト発生槽
１５  貯水タンク
１６  超音波発振子
１７  ミスト槽カバー
１８  ミストダクト
１９  ミスト出口
２０  室内温風用ファンヒーター
２１  給水容器
２２  仕切壁
２３  温水用ヒーター
２４  鉱石受け皿
２５  木製ベンチ
２６  照明灯
２７  電気制御盤
２８  ドア
【図１】
2007185206.tif 000003
【図２】
2007185206.tif 000004
【図３】
2007185206.tif 000005
【図４】
2007185206.tif 000006
【図５】
2007185206.tif 000007
【図６】
2007185206.tif 000008
【手続補正書】
【提出日】平成18年8月14日(2006.8.14)
【手続補正１】
【補正対象書類名】特許請求の範囲
【補正対象項目名】全文
【補正方法】変更
【補正の内容】
【特許請求の範囲】
【請求項１】
秋田杉等の天然木材から矩形板の正面壁、天井壁、側面壁、底面壁、背面壁をそれぞれ個別形成し、前記正面壁、天井壁、側面壁、底面壁、背面壁を直方体の個室ユニットに組み立てて室内空間を形成する簡易組立式ユニットからなり、該簡易組立式ユニットの内部に遠赤外線を放出する岩盤浴ベッドと低温ミストを発生する超音波ミスト発生器を配備し、前記岩盤浴ベッドは、前記簡易組立式ユニットの底面壁との間に温風通路空間を形成するようにスノコを設け、該スノコの上に多孔を有するパンチングメタルを載せ、該パンチングメタルの上に遠赤外線を放出する小塊鉱石を所定厚さに敷設すると共に遠赤外線を放出する粉粒状鉱石を混入して成型した正方形の岩盤プレートを、表面が露出するように前記小塊鉱石に埋設して長手方向に等間隔に並べ、前記温風通路空間の入口側に温風を送風する岩盤浴用ファンヒーターを設けており、また前記超音波ミスト発生器は、ミスト発生槽と貯水タンクとを有する仕切容器からなり、前記ミスト発生槽には超音波発振子が設けられ、該超音波発振子により発生した細かい霧状のミストは、前記ミスト発生槽の上部を覆うミスト槽カバーからミストダクトを介して前記簡易組立式ユニットの上部に設けたミスト出口から室内に放出させることを特徴とするミストサウナ個室。
【請求項２】
前記ミスト出口の上部には、温風を吹出す室内温風用ファンヒーターを設け、前記細かい霧状のミストの吹出し方向である室内中央に向って温風を吹出すようにすることを特徴とする請求項１記載のミストサウナ個室。
【請求項３】
前記岩盤プレートの底面にＰＴＣヒーターを接合して所定温度で前記岩盤プレートを加熱できるようにすることを特徴とする請求項１記載のミストサウナ個室。
【手続補正２】
【補正対象書類名】明細書
【補正対象項目名】０００４
【補正方法】変更
【補正の内容】
【０００４】
本発明のミストサウナ個室は、秋田杉等の天然木材から矩形板の正面壁、天井壁、側面壁、底面壁、背面壁をそれぞれ個別形成し、前記正面壁、天井壁、側面壁、底面壁、背面壁を直方体の個室ユニットに組み立てて室内空間を形成する簡易組立式ユニットからなり、該簡易組立式ユニットの内部に遠赤外線を放出する岩盤浴ベッドと低温ミストを発生する超音波ミスト発生器を配備し、前記岩盤浴ベッドは、前記簡易組立式ユニットの底面壁との間に温風通路空間を形成するようにスノコを設け、該スノコの上に多孔を有するパンチングメタルを載せ、該パンチングメタルの上に遠赤外線を放出する小塊鉱石を所定厚さに敷設すると共に遠赤外線を放出する粉粒状鉱石を混入して成型した正方形の岩盤プレートを、表面が露出するように前記小塊鉱石に埋設して長手方向に等間隔に並べ、前記温風通路空間の入口側に温風を送風する岩盤浴用ファンヒーターを設けており、また前記超音波ミスト発生器は、ミスト発生槽と貯水タンクとを有する仕切容器からなり、前記ミスト発生槽には超音波発振子が設けられ、該超音波発振子により発生した細かい霧状のミストは、前記ミスト発生槽の上部を覆うミスト槽カバーからミストダクトを介して前記簡易組立式ユニットの上部に設けたミスト出口から室内に放出させる。
また、前記ミスト出口の上部には、温風を吹出す室内温風用ファンヒーターを設け、前記細かい霧状のミストの吹出し方向である室内中央に向って温風を吹出すようにする。
さらに、前記岩盤プレートの底面にＰＴＣヒーターを接合して所定温度で前記岩盤プレートを加熱できるようにする。
【手続補正３】
【補正対象書類名】明細書
【補正対象項目名】０００５
【補正方法】変更
【補正の内容】
【０００５】
本発明のミストサウナ個室は、秋田杉等の天然木材から矩形板の正面壁、天井壁、側面壁、底面壁、背面壁をそれぞれ個別形成し、前記正面壁、天井壁、側面壁、底面壁、背面壁を直方体の個室ユニットに組み立てて室内空間を形成する簡易組立式ユニットからなり、各天井壁、側面壁、底面壁の使用個数を変えることにより個室をロング、セミロング、ショートのような３パターンの室内空間に大きさを替えることができるし、天然木材を使用しているので余分な水分を天然木材が吸収して各壁面に水滴が発生しない。
本発明のミストサウナ個室は、岩盤浴ベッドには、遠赤外線を放出する鉱石を混入して成型した正方形の岩盤プレートを表面が露出するように前記鉱石に埋設して長手方向に等間隔に並べ、前記岩盤プレートの底面にＰＴＣヒーターを接合して所定温度で前記岩盤プレートを加熱できるようにするので、岩盤浴ベッドを４０℃前後に温めて遠赤外線を放出させることができる。
本発明のミストサウナ個室は、超音波ミスト発生器により噴霧される粒子の細かいミストなので、皮膚はもちろん、呼吸器官からも隅々まで吸収され、細かい発汗作用により新陳代謝を促し、老廃物を出し、細胞の活性化を助けることができる。
【手続補正４】
【補正対象書類名】明細書
【補正対象項目名】０００６
【補正方法】変更
【補正の内容】
【０００６】
本発明のミストサウナ個室の一実施例を図面に基づいて、以下に説明する。
本発明のミストサウナ個室は、図１に示すように秋田杉等の天然木材から矩形板の正面壁１、天井壁２、側面壁３、底面壁（天井壁２と同形状）４、背面壁（正面壁１と同形状）５をそれぞれ個別形成し、図２に示すように前記正面壁１、天井壁２、側面壁３、底面壁（天井壁２と同形状）４、背面壁（正面壁１と同形状）５を直方体の個室ユニットに組み立てて室内空間を形成する簡易組立式ユニットからなり、各天井壁、側面壁、底面壁の使用個数を変えることにより個室をロング、セミロング、ショートのような３パターンの室内空間に大きさを替えることができる。
なお、図２に示す簡易組立式ユニットの大きさは、ロングタイプである。
さらに、図３に示すように前記簡易組立式ユニットの内部に遠赤外線を放出する岩盤浴ベッド６と低温ミストを発生する超音波ミスト発生器７を配備したものである。
前記岩盤浴ベッド６は、図４（ａ）の縦断面図、図４（ｂ）の横断面図に示すように前記簡易組立式ユニットの底面壁４との間に温風通路空間Ｗを形成するようにスノコ８を設け、該スノコ８の上に多孔を有するパンチングメタル９を載せ、該パンチングメタル９上に遠赤外線を放出する小塊鉱石１０を所定厚さに敷設すると共に、前記温風通路空間Ｗの入口側に温風を送風する岩盤浴用ファンヒーター１１を設けるものである。
さらに、前記岩盤浴ベッド６には、図５（ａ）の平面図に示すように遠赤外線を放出する粉粒状鉱石を混入して成型した正方形の岩盤プレート１２を、図３に示すよう表面が露出するように前記小塊鉱石１０に埋設して長手方向に等間隔に並べ、図５（ｂ）の断面図に示すように前記岩盤プレート１２の底面にＰＴＣヒーター１３を接合して所定温度で前記岩盤プレート１２を加熱できるようにする。
【手続補正５】
【補正対象書類名】明細書
【補正対象項目名】０００８
【補正方法】変更
【補正の内容】
【０００８】
次に、本発明のミストサウナ個室の使用動作を図面に基づいて、以下に説明する。
本発明のミストサウナ個室は、図２に示すように秋田杉等の天然木材から矩形板の正面壁１、天井壁２、側面壁３、底面壁４、背面壁５をそれぞれ個別形成し、前記正面壁１、天井壁２、側面壁３、底面壁４、背面壁５を直方体の個室ユニットに組み立てて室内空間を形成する簡易組立式ユニットからなるので、各天井壁２、側面壁３、底面壁４の使用個数を変えることにより、ミストサウナ個室をロング、セミロング、ショートのような室内空間の３パターンの大きさに替えることができる。
したがって、希望するミストサウナ個室の大きさを選択し、遠赤外線を放出する岩盤浴ベッド６と低温ミストを発生する超音波ミスト発生器７をそれぞれ配備する。
ミストサウナ個室の室内暖房は、室内温風用ファンヒーター２０及び岩盤浴用ファンヒーター１１の併用により行い、前記岩盤浴用ファンヒーター１１からの温風は温風通路空間Ｗ、スノコ８、パンチングメタル９、小塊鉱石１０の隙間を通過して小塊鉱石１０を温めて遠赤外線を放出させると共に前記小塊鉱石１０の隙間から４０℃前後の温風を室内に吹出す。
同時に、ＰＴＣヒーター１３により４０℃前後で岩盤プレート１２を加熱し、岩盤プレート１２からも遠赤外線を放出させる。
また、超音波ミスト発生器７を作動させ、温水用ヒーター２３により貯留水を４０℃前後に温めて２個の超音波発振子１６により細かい霧状のミストを発生させる。
発生した細かい霧状のミストは、ミスト槽カバー１７から２個のミストダクト１８を介して前記簡易組立式ユニットの上部に設けた２個のミスト出口１９から室内に放出される。